(57)【特許請求の範囲】
【請求項１】
引戸側に設けられたガイド部材１０と、戸枠側に設けられた錠本体３０とを備え、前記ガイド部材は、引戸側に固定的に設けられた水平のアームレール１１と、このアームレール１１の外表面と重なり合い、かつ、一端部に該アームレールに案内されながらスライドするスライド係合駒１８を有すると共に、他端部の係合端部１２ａが錠本体３０と係脱するガードアーム１２とから成り、一方、前記錠本体は、錠ケース３１に軸支され、かつ、ガードアーム１２を係止する係合部４７を有する係止カム４３と、同じく錠ケース３１に軸支され、かつ、前記係止カムに形成された第２係止部４９に係合すると共にバネ部材６０で一方向に付勢されたロック部材５５と、錠ケース３１に設けられ、かつ、通電時作動杆４１の突出端部が前記ロック部材５５を押付ける駆動源４０とから成り、通電時はガイド部材１０のガードアーム１２が錠本体３０の係止カム４３にロックされた状態で引戸１の縦框４と戸枠の縦枠６の間に開放空間１４を設定でき、一方、非通電時には前記作動杆４１の収縮に伴い、ロック部材５５が係止カム４３から外れ、ガードアーム１２が自重で係止カム４３から落下することを特徴とする開放状態引戸用ロック装置。
【請求項２】
請求項１に於て、駆動源４０はソレノイドであり、このソレノイドの作動杆４１の突出端部には、ロック部材５５の揺動板５７と圧接する当接片４２が設けられていることを特徴とする開放状態引戸用ロック装置。
【請求項３】
請求項１に於て、ロック部材５５の揺動板５７の先端部には、係合カム４３の第２係止部４９と係脱する係合ローラー５９が設けられていることを特徴とする開放状態引戸用ロック装置。
【請求項４】
請求項１に於いて、係止カム４３は、下端部に形成された親指状の第１係止部４５と、この第１係止部に対して湾曲状に延びる人差し指状の当接部４６と、手根部に相当する上端部位に形成された弧状部４８と、この弧状部４８と人差し指状の当接部４６の間の中手骨に相当する上端部寄りの部位に形成された切欠凹所状の第２係止部４９とを有することを特徴とする開放状態引戸用ロック装置。
【請求項５】
請求項１に於て、錠ケース３１は、上方収納部３１ａと、この上方収納部３１ａに連設しかつ前壁３３に下端から上方向に案内切欠部３６を有する下方収納部３１ｂから成り、上方収納部３１ａは下方収納部３１ｂと連通しているが、下方収納部３１ｂよりも前方に突出し、ガードアーム１２の係合端部１２ａと当接する底壁３２を有することを特徴とする開放状態引戸用ロック装置。
【請求項６】
請求項１に於いて、ガイド部材１０Ａは、アームレール１１Ａと、ガードアーム１２Ａとから成り、前記アームレール１１Ａの固定ベース部１５Ａには係合部６６が形成され、一方、ガードアーム１２Ａの一端部には操作部材６５が設けられ、該操作部材はガードアーム１２Ａの一端部に枢支された操作片６８と、この操作片６８の先端部６８ａに取付けられ、かつ、アームレール１１Ａのレール空間部１３Ａを移動するスライド係合駒１８Ａを貫通した状態で前記係合部６６と係脱する係合棒７０とから成ることを特徴とする開放状態引戸用ロック装置。
【請求項７】
請求項１に於いて、ガイド部材１０Ｂは、アームレール１１Ｂと、ガードアーム１２Ｂとから成り、前記アームレール１１Ｂの固定ベース部１５Ｂには複数個の調整孔７２が形成され、一方、ガードアーム１２Ｂの一端部には操作部材６５Ｂが設けられ、該操作部材はガードアーム１２Ｂの一端部に枢支された操作片６８Ｂと、この操作片６８Ｂの先端部６８ａに取付けられ、かつ、アームレール１１Ｂのレール空間部１３Ｂを移動するスライド係合駒１８Ｂを貫通した状態で係合部６６Ｂと係脱する係合棒７０Ｂとから成ることを特徴とする開放状態引戸用ロック装置。
【発明の詳細な説明】
【０００１】
【発明の属する技術分野】
本発明は開放状態引戸用ロック装置に関する。本発明は、例えば特別養護老人ホームや病院などの非常口用引戸に適する。
【０００２】
【従来の技術】
従来、特別養護老人ホームや病院などの非常口用引戸は、火災、緊急時等の非常時以外の時は施錠状態になっている場合が多い。非常口はあくまでも非常用であり、非常口を完全に開放しておくことは、特に惚け老人や病人に対して管理上問題があると共に、外部からの侵入（泥棒）も有り得るからである。
【０００３】
しかしながら、非常口と言っても、管理上の観点から常に完全に閉じていなければならないと言う訳ではなく、管理上の問題点を解消できるのであれば、換気の目的から、人が通ることができない開放空間を設定した状態で引戸をロックあるいはストッパーできればより望ましい。
【０００４】
【発明が解決しようとする課題】
しかしながら、従来、特別養護老人ホームや病院などの非常口用引戸に於いて、風を入れたいが人の出入りを防止する開放空間を設定することができる開放状態引戸用ロック装置が存在していない。
【０００５】
そこで、請求項１記載の発明は、上記のような開放空間を設定することができる開放状態引戸用ロック装置を提供することである。そして、本発明の具体的な発明の課題は、戸枠の縦枠側に設けられた錠本体に引戸の縦框側に設けられたガイド部材のガードアームがロックされたままの状態で引戸を手で開くだけで所望の開放空間が確実に得ることができ、一方、停電などの非常時には前記ガードアームを錠本体の係止カムから解放させ、ガードアームの係合端部を自動的に錠ケースから落下させることである。
【０００６】
また請求項２及び請求項３記載の発明は、駆動源の作動杆が伸張した時にロック部材を容易かつ確実に係止カムに係止させることを目的とする。
【０００７】
また請求項４記載の発明は、駆動源の通電時に於いて、ガイド部材のガードアームを錠本体の係止カムに容易に係合させることができる反面、錠本体が解錠の時にはガードアームが自然に係止カムから外れることである。
【０００８】
また請求項５記載の発明は、意匠上のデザイン性を考慮すると同時に、ガイド部材のガードアームを錠本体の係止カムに係合させる時に所望の位置で位置決め停止させることである。
【０００９】
また請求項６記載の発明は、惚け老人などに引戸を自由に開けられたくない場合に、引戸のガイド部材側でも仮のロックをしておくことができることである。
【００１０】
さらに、請求項７記載の発明は、ガイド部材のガードアームをロックしたままの状態で開放空間を任意に調整したうえで、引戸のガイド部材側でも仮のロックをしておくことができることである。
【００１１】
【課題を解決するための手段】
本発明の開放状態引戸用ロック装置は、引戸側に設けられたガイド部材１０と、戸枠側に設けられた錠本体３０とを備え、前記ガイド部材は、引戸側に固定的に設けられた水平のアームレール１１と、このアームレール１１の外表面と重なり合い、かつ、一端部に該アームレールに案内されながらスライドするスライド係合駒１８を有すると共に、他端部の係合端部１２ａが錠本体３０と係脱するガードアーム１２とから成り、一方、前記錠本体は、錠ケース３１に軸支され、かつ、ガードアーム１２を係止する係合部４７を有する係止カム４３と、同じく錠ケース３１に軸支され、かつ、前記係止カムに形成された第２係止部４９に係合すると共にバネ部材６０で一方向に付勢されたロック部材５５と、錠ケース３１に設けられ、かつ、通電時作動杆４１の突出端部が前記ロック部材５５を押付ける駆動源４０とから成り、通電時はガイド部材１０のガードアーム１２が錠本体３０の係止カム４３にロックされた状態で引戸１の縦框４と戸枠の縦枠６の間に開放空間１４を設定でき、一方、非通電時には前記作動杆４１の収縮に伴い、ロック部材５５が係止カム４３から外れ、ガードアーム１２が自重で係止カム４３から落下することを特徴とする。
【００１２】
ここで、「所望の開放空間」とは、通常の平均的な２〜３歳児が通り抜けることができない引戸と戸枠との隙間を言う。
【００１３】
【発明の実施の形態】
以下、図面に示す本発明の実施の形態を、引戸の枠（縦框、横框、中框）に取り付けたガード部材（アームレール及びガードアーム）１０と、このガイド部材のガードアーム１２を係止ロック及び係止解除する戸枠の外表面側に取り付けた錠本体３０との係脱関係で説明する。
【００１４】
まず図１乃至図１３に基づき本発明の第１実施例について説明する。１は、例えば非常口の引戸である。この引戸１には、普通一般の引戸や引戸式の窓が含まれる。周知のように、引戸１は金属性の引戸枠２と、この引戸枠２内に取り付けられたガラス３とから成るタイプが普及している。そして、例えば引戸１の中央部には縦框４と交差する帯状の中框５が設けられている。一方、６は戸枠の縦枠で、この戸枠の縦枠６は引戸の縦框４と対向する。
【００１５】
次に１０は引戸枠２の適当な箇所、本実施例では図１で示すように引戸枠２の中央部に固定的に設けられ、かつ、錠本体３０と係脱するガード部材である。このガード部材１０は縦框４の中央部から中框５にかけて水平状態に固設されたアームレール１１と、このアームレール１１の外表面と略重なり合い、かつ、該アームレールに案内されながらスライドすると共に、錠本体３０と係脱するガードアーム１２とから成る。
【００１６】
しかして、前記アームレール１１は、長溝状のレール空間部１３の長さ分だけガードアーム１２をスライドさせ、図１で示すように所望の開放空間１４を設定することができる。この開放空間１４は、前述したように風を入れたいが人の出入りを防止することができる常識的な隙間である。アームレール１１は、本実施例では固定ベース部１５の左右に形成された固着具用貫通孔１６を介して引戸枠２に固定される。
【００１７】
１７は図７で示すように固定ベース部１５にトラック状に周設された係止枠部で、この係止枠部１７の右端部１７ａはガードアーム１２に対してストッパーの機能し、またその左端部１７ｂは固定ベース部に適宜に固定される。一方、ガードアーム１２は、一端部にアームレールのレール空間部１３内を水平移動するスライド係合駒１８を有すると共に、他端部には錠本体３０と係脱する係合杆１９が突設されている。この係合杆１９は錠本体３０から係止を解除（解錠）されると、アームレール１１に係止されるスライド係合駒１８を支点に自重で回転落下する。なお、前記係合杆１９の突出端部にはフランジ部２０が形成されている。
【００１８】
３０は引戸１の開閉の有無を問わず、普段はガイド部材１０のガードアーム１２の係合杆１９を施錠（ロック）し、非常時にはその係合杆１９を解錠（係止解除）する錠本体である。そこで、図３乃至図１０を参照しながら錠本体３０の構成について説明する。
【００１９】
まず３１は戸枠の縦枠６の中央部に縦方向に固定された錠ケースで、この錠ケース３１は上方収納部３１ａと、この上方収納部３１ａに連設する下方収納部３１ｂから成る。上方収納部３１ａは下方収納部３１ｂと連通しているが、下方収納部３１ｂよりも前方に突出し、ガードアーム１２の係合杆１９が位置する係合端部１２ａと当接する底壁３２を有する。この底壁３２の奥行きは、ガードアーム１２の横幅と略同一に設定されている。したがって、ガードアーム１２の係合端部１２ａが下方収納部３１ｂの前壁３３と対向すると、上方収納部３１ａの前壁３４とガードアーム１２の係合端部１２ａの外壁面は略同一垂直面に位置する。また下方収納部３１ｂは、本実施例では底壁が開口３５していると共に、前記前壁３３には縦方向に案内切欠部３６が形成されている。この案内切欠部３６は一側壁寄りの部位に位置し、前記開口３５と連通する下端から上部へと形成されている。
【００２０】
次に４０は錠ケース３１の上方収納部３１ａ内に設けられた駆動源の一例としてのソレノイドである。このソレノイド４０は上方収納部３１ａの後壁３７に縦方向に適宜固定されている。したがって、作動杆４１は上下方向に伸縮動するが、本実施例では非通電時には収縮し、一方、通電時は伸張する構造である。
【００２１】
４２は作動杆４１の突出端部に固定的に設けられた当接片である。この当接片４２は作動杆４１と交差する方向に突出している。当接片４２は、作動杆４１が収縮する際は受け板としての機能を、一方、作動杆４１が伸張する際は押し圧片としの機能を発揮する。
【００２２】
次に４３は錠ケース３１の下方収納部３１ｂ内に設けられた係止手段の一例としての係止カムである。この係止カム４３は、下方収納部３１ｂの中央部寄りの部位に横設軸架された第１の枢軸４４に枢支されている。この係止カム４３は下方収納部３１ｂ内で所望する角度（ガードアーム１２の係合杆１９と係脱する角度）回動可能であれば円形、多角形など形状は特に問わない。本実施例の係止カム４３の形状は、人の手を内側方向から見た場合に親指乃至人差し指に似た部分がある。
【００２３】
しかして、４５は係止カム４３の下端部に形成された親指状の第１係止部で、この第１係止部４５は、図３を基準にすると、錠ケース３１の案内切欠部３６に臨んでいる。４６はこの第１係止部に対して湾曲状に延びる人差し指状の当接部で、この当接部４６は、図３を基準にすると、前記案内切欠部３６に対して斜め方向に交差している。この当接部４６と第１係止部４５がガードアーム１２の係合端部１２ａと係脱するガードアーム用係合部４７を形成している。
【００２４】
また４８は手根部に相当する上端部位に形成された弧状部で、この弧状部４８と人差し指状の当接部４６の間の中手骨に相当する上端部寄りの部位には、第２係止部４９が形成されている。この第２係止部４９は第１の枢軸４４方向に形成された切欠凹所である。
【００２５】
次に５５はソレノイドの作動杆４１と係止カム４３との間に介在するロック部材である。このロック部材５５は、基部が下方収納部３１ｂの上部右端部に横設軸架された第２の枢軸５６に枢支され、かつ、作動杆４１の当接片４２と圧接する揺動板５７と、この揺動板５７の自由端部に一対の枢支アーム５８を介して回転自在に設けられた係合ローラー５９とから成る。ロック部材５５は、第２の枢軸５６に巻装されたバネ部材６０により、常時作動杆４１の方向に付勢されている。また係合ローラー５９は係合カム４３の第２係止部４９と係脱する。
【００２６】
上記構成に於て、まず図３がソレノイド４０が非通電時の状態を示す。この非通電時の状態は、停電時はもちろんであるが、例えば火災など非常時の場合に遠隔制御装置の制御によりなされる。この時ソレノイド４０の作動杆４１は図示しない復帰バネにより収縮している。作動杆４１が収縮すると、ロック部材５５は常時バネ部材６０により上方方向に付勢されているので、第２の枢軸５６を支点に回転して上方に浮き上がる。そして、ロック部材５５の係合ローラー５９が係止カム４３の第２係止部４９から外れると、係止カム４３は第１の枢軸４４を支点に反時計方向に自重で回転する。その結果、ガードアーム１２の係合杆１９が係止カム４３の係合部４７から開放され、ガードアーム１２の係合端部１２ａは、アームレール１１に係止されるスライド係合駒１８を支点に自重で回転落下し、かつ、ガードアーム１２は垂れ下がる。そこで、引戸１を完全に開放することができる。
【００２７】
次に図９は係止カム４３にガードアーム１２の係合杆１９を掛ける前の非通電時の状態からソレノイド４０に通電した場合を示す。この場合作動杆４１は、矢印でし示すように不完全の状態で伸張する。そして、作動杆４１の不完全伸張に伴い、その当接片４２により、ロック部材５５は係止ローラー５９が係止カム４３の弧状部４８に当たるまで下方へと押し下げられる。しかし、この状態では係止カム４３はまだ回転しない。そこで、例えば引戸１を完全に閉じ、ガードアーム１２の係合杆１９を矢印で示すように錠ケース３１の案内切欠部３６へと下方から差し入れ、係止カム４３にガードアーム１２の係合杆１９を掛けるようにする。
【００２８】
次に図１０はガードアーム１２の係合杆１９を係止カム４３に掛け、かつ、ロック部材５５に係止カム４３がロックされた場合を示す。この場合ソレノイド４０は通電状態のままである。ガードアーム１２の係合杆１９を錠ケース３１の案内切欠部３６へと下方から差し入れると、係合杆１９は係止カム４３の当接部４６に当たる。そこで、ガードアーム１２の係合端部１２ａが下方収納部３１ｂの前壁３３と対向する位置あるいは係合端部１２ａが上方収納部３１ａの底壁３２に当接するまで係合杆１９を移動させると、係止カム４３は第１の枢軸４４を支点に時計方向へ回転する。ロック部材５５の係合ローラー５９はこの係止カム４３の回転に伴い弧状部４８の弧状面をソレノイド４０の作動杆４１に押されながらその場で転動する。そして、係止カム４３の第２係止部４９が係合ローラー５９と対向する位置へと移行してくると、該係合ローラー５９は第２係止部４９に落ち込む。この時ソレノイド４０の作動杆４１は完全に伸張すると共に、ロック部材５５はバネ部材６０のバネ力に抗して反時計方向へ回転する。そこで、ガイド部材１０が錠本体３０に施錠された状態で引戸１を開くと、ガードアーム１２がアームレール１１をスライドし、図１で示すように引戸１と戸枠の縦枠６との間に開放空間１４が生ずる。
【００２９】
【実施例】
まず第１実施例に於いては、駆動源４０の一例としてソレノイドを示し、その作動杆４１は非通電時には収縮し、一方、通電時は伸張する構造である旨を説明したが、図１４で示すようにソレノイドの上端部に作動杆４１Ａを確実に復帰させるために、復帰スプリング２５を作動杆４１Ａの突出上端部に巻装しても良い。
【００３０】
次にこの実施例の欄では、発明の実施の形態の欄で述べた第１実施例の主要部に他の構成要件を加味した実施例を列挙する。なお、これらの実施例の説明に於いては、図面に発明の実施の形態で説明した符号をそのまま付し、あるいは同様の符号を付し、重複する説明を省略する。
【００３１】
図１５乃至図１９の第２実施例は、ガイド部材１０Ａの構成に特徴がある。ガイド部材１０Ａは、アームレール１１Ａと、ガードアーム１２Ａとから成る点は第１実施例と同様である。しかし、この実施例は、引戸を開く前にガードアーム１２Ａに設けられた操作部材６５を操作しない限り、自由に引戸を開き、開放空間を設定できないことを発明の目的している。
【００３２】
しかして、６６はアームレール１１Ａの固定ベース部１５Ａの適宜箇所に形成された係合孔、係合溝等の係合部である。この係合部６６は、操作片の位置を考慮し、本実施例ではアームレール１１Ａの一端部に設けられている。
【００３３】
前記操作部材６５は、ガードアーム１２Ａの係合杆１９Ａを有しない一端部に軸６７を介して回動可能に枢支されたシーソ式操作片６８と、この操作片６８の先端部６８ａに枢支ピン６９を介して取付けられ、かつ、アームレール１１Ａのレール空間部１３Ａを移動するスライド係合駒１８Ａを貫通した状態で係合部６６と係脱する係合棒７０とから成る。
【００３４】
上記構成に於いては、シーソ式操作片６８の後端部６８ｂを押すと係合棒７０は係合部６６から外れ、一方、その先端部６８ａを押すと係合棒７０は係合部６６と係合する。したがって、引戸を自由に開けられたくない場合はシーソ式操作片６８の先端部６８ａを押し、ガイド部材１０Ａ側でも仮のロックをしておけば良い。
【００３５】
図２０乃至図２３の第３実施例は、ガイド部材１０Ａの構成をそっくり含み、シーソ式操作片６８用付勢バネ７１を設けた点に特徴がある。この付勢バネ７１は、シーソ式操作片６８の後端部６８ｂの内側に適宜設けられたスプリングであり、操作片６８を係合棒７０が係合部６６に係合する方向に常時付勢する。
【００３６】
上記構成に於いては、引戸を閉じた際にスライド係合駒１８Ａが係合部６６に位置すると、付勢バネ７１に係合方向に付勢されている係合棒７０は係合部６６に自動的に係合し、その結果、ガードアーム１２Ａがアームレール１１Ａとロック状態に成る。なお、この実施例の説明に於いては、ガイド部材１０Ａの構成をそっくり利用しているので、便宜上第２実施例の符号をそのまま用いる。
【００３７】
図２４乃至図２６の第４実施例は、ガイド部材１０Ｂの構成に特徴がある。ガイド部材１０Ｂは、アームレール１１Ｂと、ガードアーム１２Ｂとから成る点は第１実施例と同様である。しかし、この実施例は、引戸を開く前にガードアーム１２Ｂに設けられた操作部材６５Ｂを操作しない限り、自由に引戸を開き、開放空間を設定できないのみならず、前記開放空間を任意に調整することができることを発明の目的している。したがって、この第４実施例は第２実施例の改良例である。
【００３８】
まず６６Ｂはアームレール１１Ｂの固定ベース部１５Ｂの適宜箇所に形成された係合孔、係合溝等の係合部である。この係合部６６Ｂは、操作片の位置を考慮し、本実施例ではアームレール１１Ｂの一端部に設けられている。
【００３９】
前記操作部材６５Ｂは、ガードアーム１２Ｂの係合杆１９Ｂを有しない一端部に軸６７Ｂを介して回動可能に枢支されたシーソ式操作片６８Ｂと、この操作片６８Ｂの先端部６８ａに枢支ピン６９Ｂを介して取付けられ、かつ、アームレール１１Ｂのレール空間部１３Ｂを移動するスライド係合駒１８Ｂを貫通した状態で係合部６６Ｂと係脱する係合棒７０Ｂとから成る。なお、操作片６８Ｂの先端部６８ａとその後端部６８ｂの符号は便宜上第２実施例の符号をそのまま用いる。
【００４０】
次に７２はアームレール１１Ｂの固定ベース部１５Ｂに所定間隔を設けて形成された複数個の調整孔である。この調整孔７２は、本実施例では多少長孔状であり、アームレール１１Ｂの長手方向に合計６形成されている。
【００４１】
上記構成に於いては、シーソ式操作片６８Ｂの後端部６８ｂを押すと係合棒７０Ｂは係合部６６Ｂから外れ、一方、その先端部６８ａを押すと係合棒７０Ｂは係合部６６Ｂと係合する。したがって、引戸を自由に開けられたくない場合はシーソ式操作片６８Ｂの先端部６８ａを押し、ガイド部材１０Ｂ側でも仮のロックをしておけば良い点は第２実施例と同様である。
【００４２】
また開放空間を任意に設定したい場合は、操作部材６５Ｂの係合棒７０Ｂを係合部６６Ｂから係合解除させた状態にしながら引戸を所望の位置まで開く。そして、シーソ式操作片６８Ｂの先端部６８ａを押し、前記係合棒７０Ｂを係合部６６Ｂに係合させる。
【００４３】
図２７及び図２８の第５実施例は、ガイド部材１０Ｂの構成をそっくり含み、シーソ式操作片６８Ｂ用付勢バネ７１Ｂを設けた点に特徴がある。この付勢バネ７１Ｂは、シーソ式操作片６８Ｂの後端部６８ｂの内側に適宜設けられたスプリングであり、操作片６８Ｂを係合棒７０Ｂが係合部６６Ｂに係合する方向に常時付勢する。
【００４４】
上記構成に於いては、引戸を閉じた際にスライド係合駒１８Ｂが係合部６６Ｂに位置すると、勢バネ７１Ｂに係合方向に付勢されている係合棒７０Ｂは係合部６６Ｂに自動的に係合し、その結果、ガードアーム１２Ｂがアームレール１１Ｂとロック状態に成る。また開放空間を任意に設定したい場合は、操作部材６５Ｂの係合棒７０Ｂを係合部６６Ｂから係合解除させた状態にしながら引戸を所望の位置まで開き、シーソ式操作片６８Ｂの後端部６８ｂから指を離すと、付勢バネ７１Ｂのバネ力により操作片６８Ｂを係合棒７０Ｂは自動的に係合部６６Ｂに係合する。なお、この実施例の説明に於いては、ガイド部材１０Ｂの構成をそっくり利用しているので、便宜上第４実施例の符号をそのまま用いる。
【００４５】
【発明の効果】
以上の説明から明らかなように、本発明にあっては次に列挙するような効果がある。
（１）特別養護老人ホームや病院の引戸窓あるいは非常口の引戸に使用し、戸枠の縦枠側に設けられた錠本体に引戸の縦框側に設けられたガイド部材のガードアームがロックされたままの状態で引戸を手で開くだけで所望の開放空間が確実に得ることができ、一方、停電などの非常時には前記ガードアームを錠本体の係止カムから解放させ、ガードアームの係合端部を自動的に錠ケースから落下させることができる。したがって、管理上の問題点を解消できると同時に、換気の目的を達成することができる。
（２）請求項２及び請求項３記載の発明は、駆動源の作動杆が伸張した時にロック部材を容易かつ確実に係止カムに係止させることができる。
（３）請求項４記載の発明は、駆動源の通電時に於いて、ガイド部材のガードアームを錠本体の係止カムに容易に係合させることができる反面、錠本体が解錠の時にはガードアームが自然に係止カムから外れる。
（４）請求項５記載の発明は、ガイド部材のガードアームを錠本体の係止カムに係合させる時に所望の位置で位置決め停止させることができる。
（５）請求項６記載の発明は、惚け老人などに引戸を自由に開けられたくない場合に、引戸のガイド部材側でも仮のロックをしておくことができることである。
（６）請求項７記載の発明は、ガイド部材のガードアームをロックしたままの状態で開放空間を任意に調整したうえで、引戸のガイド部材側でも仮のロックをしておくことができる。
【図面の簡単な説明】
図１ないし図１９は本発明の実施の形態を説明するための第１実施例に基づく各説明図。その他の図面は主要部又は要部の他の実施例を示す各説明図である。
【図１】第１実施例を用いた実施の形態を説明するための説明図（開放空間を設定した場合）。
【図２】第１実施例を用いた実施の形態を説明するための説明図（引戸を閉めた場合）。
【図３】第１実施例の錠本体の概略的な斜視図。
【図４】図３の４−４線に基づく概略断面説明図。
【図５】第１実施例の主要部の説明図。
【図６】第１実施例の主要部の説明図。
【図７】第１実施例の主要部の説明図。
【図８】第１実施例の主要部の説明図。
【図９】停電開放後のソレノイド通電状態（ガードアームの係合前）。
【図１０】図９に於いて、錠本体がガードアームをロックした状態。
【図１１】ガイド部材の概略説明図。
【図１２】図１１の１２−１２線拡大断面図。
【図１３】ガイド部材のアームレールの説明図。
【図１４】第１実施例の要部（駆動源）の他の例を示す説明図。
【図１５】主要部の第２実施例（ガイド部材１０Ａ）の正面図。
【図１６】第２実施例の底面側から見た概略説明図（操作部材が係合）。
【図１７】第２実施例の底面側から見た概略説明図（操作部材が係合解除）。
【図１８】第２実施例の要部（アームレール１１Ａ）の説明図。
【図１９】第２実施例の要部（操作部材６５）の説明図。
【図２０】第３実施例（ガイド部材１０Ａ）の底面側から見た概略説明図。
【図２１】図２０の２２−２２線拡大断面図。
【図２２】第３実施例の操作部材が係合解除した概略説明図。
【図２３】第３実施例の要部（アームレール１１Ａ）の説明図。
【図２４】第４実施例（ガイド部材１０Ｂ）の底面側から見た概略説明図。
【図２５】第４実施例の操作部材が係合解除した概略説明図。
【図２６】第４実施例の要部（アームレール１１Ｂ）の説明図。
【図２７】第５実施例（ガイド部材１０Ｂ）の底面側から見た概略説明図。
【図２８】第５実施例の操作部材が係合解除した概略説明図。
【符号の説明】
１…引戸、２…引戸枠、４…縦框、６…戸枠の縦枠、１０、１０Ａ、１０Ｂ…ガード部材、１１、１１Ａ、１１Ｂ…アームレール、１２、１２Ａ、１２Ｂ…ガードアーム、１３、１３Ａ、１３Ｂ…レール空間部、１４…開放空間、１５、１５Ａ、１５Ｂ…固定ベース部、１８、１８Ａ、１８Ｂ…スライド係合駒、１９、１９Ａ、１９Ｂ…係合杆、３０…錠本体、３１…錠ケース、３１ａ…上方収納部、３１ｂ…下方収納部、３２…底壁、３３、３４…前壁、３６…案内切欠部、４０…ソレノイド、４１…作動杆、４２…当接片、４３…係止カム、４４…第１の枢軸、４５…第１係止部、４６…当接部、４７…係合部、４８…弧状部、４９…第２係止部、５５…ロック部材、５９…係合ローラー、５６…第２枢支部、６０…バネ部材、６６、６６Ｂ…係合部、６５、６５Ｂ…操作部材、６８、６８Ｂ…操作片、７０、７０Ｂ…係合棒、７１、７１Ｂ…付勢バネ、７２…調整孔。
【図１】
0003635510.tif 000002
【図２】
0003635510.tif 000003
【図３】
0003635510.tif 000004
【図４】
0003635510.tif 000005
【図５】
0003635510.tif 000006
【図６】
0003635510.tif 000007
【図７】
0003635510.tif 000008
【図８】
0003635510.tif 000009
【図９】
0003635510.tif 000010
【図１０】
0003635510.tif 000011
【図１１】
0003635510.tif 000012
【図１２】
0003635510.tif 000013
【図１３】
0003635510.tif 000014
【図１４】
0003635510.tif 000015
【図１５】
0003635510.tif 000016
【図１６】
0003635510.tif 000017
【図１７】
0003635510.tif 000018
【図１８】
0003635510.tif 000019
【図１９】
0003635510.tif 000020
【図２０】
0003635510.tif 000021
【図２１】
0003635510.tif 000022
【図２２】
0003635510.tif 000023
【図２３】
0003635510.tif 000024
【図２４】
0003635510.tif 000025
【図２５】
0003635510.tif 000026
【図２６】
0003635510.tif 000027
【図２７】
0003635510.tif 000028
【図２８】
0003635510.tif 000029